(57)【要約】【課題】ＲＦＩＤ用アンテナ装置およびＲＦＩＤ管理システムに関し、ループ型アンテナを有するＲＦＩＤタグとダイポール型アンテナを有するＲＦＩＤタグの両方を読み取る場合であっても、ＲＦＩＤ用アンテナ装置の交換を不要にし、これにより管理の作業効率を向上させることを目的とする。【解決手段】ＲＦＩＤ用アンテナ装置６は、アンテナ７の基板１３の上面にループ状に形成されている配線パターン７ａに電気的に直列接続した位相調整部１４を設け、この位相調整部１４により、アンテナ７の位相成分を調整するようにした。この位相調整部１４によりアンテナ７の電気長を調整し、給電部１５から給電される電波が重なって打ち消し合うのを抑え、これにより磁束を強くすることができる。この結果、離れた位置でも磁束を強めることができ、この磁束により電界を発生させてダイポール型アンテナを有するＲＦＩＤタグも読み取ることができる。【選択図】図３
2010093692.tif 000002
【特許請求の範囲】
【請求項１】
本体部に内設された基板上の第１の接続端子と第２の接続端子が配線パターンにより接続されていると共に前記配線パターンがループ状に形成されているアンテナと、
前記アンテナの位相成分を調整する位相調整部とを備え、
前記位相調整部は前記アンテナの配線パターンと電気的に直列接続されていることを特徴とするＲＦＩＤ用アンテナ装置。
【請求項２】
前記位相調整部は、前記基板の上面の配線パターンと下面の配線パターンとがスルーホールを介して接続され、螺旋状に形成されていることを特徴とする請求項１に記載のＲＦＩＤ用アンテナ装置。
【請求項３】
前記位相調整部は、メアンダ状に形成された前記配線パターンにより構成されていることを特徴とする請求項１に記載のＲＦＩＤ用アンテナ装置。
【請求項４】
前記配線パターンは、λ／２長以下の電気長を有することを特徴とする請求項２または請求項３に記載のＲＦＩＤ用アンテナ装置。
【請求項５】
前記位相調整部に対向して配置された無給電素子を備えていることを特徴とする請求項１から請求項４のいずれか１項に記載のＲＦＩＤ用アンテナ装置。
【請求項６】
前記無給電素子は、前記ループ状の配線パターンの内周側または外周側に設けられ、λ／４長以下の電気長を有する配線パターンで形成されていることを特徴とする請求項５に記載のＲＦＩＤ用アンテナ装置。
【請求項７】
前記位相調整部を複数設け、これらの位相調整部のいずれか１つを含むように前記配線パターンを断続する複数のスイッチを備えていることを特徴とする請求項１から請求項６のいずれか１項に記載のＲＦＩＤ用アンテナ装置。
【請求項８】
基板の下面側に金属製の遮蔽板を設けていることを特徴とする請求項１から請求項７のいずれか１項に記載のＲＦＩＤ用アンテナ装置。
【請求項９】
請求項１から請求項８のいずれか１項に記載のＲＦＩＤ用アンテナ装置と、
前記ＲＦＩＤ用アンテナ装置の本体部に載置される管理物品に貼付されているＲＦＩＤタグのタグ情報を前記ＲＦＩＤ用アンテナ装置を介して読み取るリーダライタと、
前記リーダライタと接続されると共に前記ＲＦＩＤタグのタグ情報に基づいて前記管理物品を管理する管理装置とを備えていることを特徴とするＲＦＩＤ管理システム。
【発明の詳細な説明】
【技術分野】
【０００１】
本発明は、ＲＦＩＤ用アンテナ装置およびＲＦＩＤ管理システムに関する。
【背景技術】
【０００２】
近年、物流、商品などの管理を効率化するために、ＲＦＩＤ（Ｒａｄｉｏ  Ｆｒｅｑｕｅｎｃｙ  ＩＤｅｎｔｉｆｉｃａｔｉｏｎ）タグが利用されている。
【０００３】
例えば、病院内にある薬剤瓶にＲＦＩＤタグを貼付し、このＲＦＩＤタグのタグ情報を使って薬剤の使用量を管理するＲＦＩＤ管理システムが提案されている。
【０００４】
従来のＲＦＩＤ管理システムでは、病院内における薬剤、特に劇薬などの危険薬剤を保管する薬剤保管庫から薬剤瓶が出し入れされるときに、リーダライタによりＲＦＩＤ用アンテナ装置を介して薬剤瓶に貼付されているＲＦＩＤタグを読み取り、使用量を管理していた（例えば、特許文献１参照）。
【特許文献１】特開２００２−３１５８１３号公報
【発明の開示】
【発明が解決しようとする課題】
【０００５】
従来のＲＦＩＤ管理システムでは、薬剤瓶が薬剤保管庫から出し入れされるごとに薬剤保管庫の前面内周部に配置されたループ型のＲＦＩＤ用アンテナ装置の近くを通過させるようにし、薬剤瓶に貼付されているループ型アンテナを有するＲＦＩＤタグを読み取るようにしていた。すなわち、ループ型のＲＦＩＤ用アンテナ装置ではループの近傍に磁束が発生するため、ループ型アンテナを有するＲＦＩＤタグを近づけて読み取っていた。このように、薬剤瓶にはループ型アンテナを有するＲＦＩＤタグが貼付されるが、薬剤袋にはダイポール型アンテナを有するＲＦＩＤタグが貼付されている場合もある。
【０００６】
しかしながら、ループ型のＲＦＩＤ用アンテナ装置から少し離れた位置では磁束が弱くなるため、ほとんど電界も発生せず、よって、ループ型のＲＦＩＤ用アンテナ装置では、ダイポール型アンテナを有するＲＦＩＤタグを読み取ることができなかった。このため、ループ型のアンテナ装置とダイポール型のアンテナ装置の両方を用意して、薬剤の保管形態に合わせて、その都度アンテナ装置を交換するなどして管理する必要があり、管理の作業効率が低くなるという課題があった。
【０００７】
そこで本発明は、ループ型アンテナを有するＲＦＩＤタグとダイポール型アンテナを有するＲＦＩＤタグの両方を管理する場合であっても、ＲＦＩＤ用アンテナ装置の交換を不要にし、これにより管理の作業効率を向上させることを目的とする。
【課題を解決するための手段】
【０００８】
この目的を達成するために本発明のＲＦＩＤ用アンテナ装置は、本体部に内設された基板上の第１の接続端子と第２の接続端子が配線パターンにより接続されていると共に配線パターンがループ状に形成されているアンテナと、アンテナの位相成分を調整する位相調整部とを備え、位相調整部はアンテナの配線パターンと電気的に直列接続されていることを特徴とする。これにより、所期の目的を達成するものである。
【０００９】
また、本発明のＲＦＩＤ管理システムは、上記したＲＦＩＤ用アンテナ装置と、ＲＦＩＤ用アンテナ装置の本体部に載置される管理物品に貼付されているＲＦＩＤタグのタグ情報をＲＦＩＤ用アンテナ装置を介して読み取るリーダライタと、リーダライタと接続されると共にＲＦＩＤタグのタグ情報に基づいて管理物品を管理する管理装置とを備えていることを特徴とする。これにより、所期の目的を達成するものである。
【発明の効果】
【００１０】
以上のように本発明のＲＦＩＤ用アンテナ装置は、本体部に内設された基板上の第１の接続端子と第２の接続端子が配線パターンにより接続されていると共に配線パターンがループ状に形成されているアンテナと、アンテナの位相成分を調整する位相調整部とを備え、位相調整部はアンテナの配線パターンと電気的に直列接続されている構造にしたので、位相調整部によりアンテナの電気長を調整し、第１の接続端子と第２の接続端子に給電される電波が重なって打ち消し合うのを抑え、ループ状に形成されているアンテナであっても磁束を強くすることができる。このため、アンテナから少し離れている場所でも磁束を強くすることができ、この磁束により電界も発生するため、ダイポール型アンテナを有するＲＦＩＤタグも読み取ることができる。これにより、ループ型アンテナを有するＲＦＩＤタグとダイポール型アンテナを有するＲＦＩＤタグの両方を読み取る場合であっても、ＲＦＩＤ用アンテナ装置の交換が不要になり、これにより管理の作業効率を向上させることができる。
【００１１】
また、本発明のＲＦＩＤ管理システムは、上記したＲＦＩＤ用アンテナ装置と、ＲＦＩＤ用アンテナ装置の本体部に載置される管理物品に取り付けられているＲＦＩＤタグのタグ情報をＲＦＩＤ用アンテナ装置を介して読み取るリーダライタと、リーダライタと接続されると共にＲＦＩＤタグのタグ情報に基づいて管理物品を管理する管理装置とを備えているので、位相調整部によりアンテナの電気長を調整し、給電された電波が重なって打ち消し合うのを抑え、ループ状に形成されているアンテナであっても磁束を強くすることができる。このため、アンテナから少し離れている場所でも磁束を強くすることができ、この磁束により電界も発生するため、ダイポール型アンテナを有するＲＦＩＤタグも読み取ることができる。これにより、ループ型アンテナを有するＲＦＩＤタグとダイポール型アンテナを有するＲＦＩＤタグの両方を読み取り、管理する場合であっても、アンテナの交換が不要になり、これにより作業効率を向上させることができる。
【発明を実施するための最良の形態】
【００１２】
以下、本発明の一実施の形態について、図面を用いて詳細に説明する。
【００１３】
（実施の形態）
まず、図１から図５を参照しながら、本発明の実施の形態におけるＲＦＩＤ管理システム１について説明する。
【００１４】
図１は本発明の実施の形態におけるＲＦＩＤ管理システム１の概要図、図２は本発明の実施の形態におけるＲＦＩＤタグ４、５を示すものであり、図２（ａ）はダイポール型アンテナ部４ａで構成されるＲＦＩＤタグ４の正面図、図２（ｂ）はループ型アンテナ部５ａで構成されるＲＦＩＤタグ５の正面図、図３は本発明の実施の形態におけるＲＦＩＤ用アンテナ装置６の斜視図、図４は本発明の実施の形態におけるＲＦＩＤ用アンテナ装置６の位相調整部１４を説明するものであり、図４（ａ）は位相調整部１４の正面図、図４（ｂ）は位相調整部１４の断面図、図５は本発明の実施の形態におけるＲＦＩＤ管理システム１のブロック図である。
【００１５】
ここでは、薬剤保管庫２に保管されている薬剤などの管理物品を管理する場合を例にして説明する。
【００１６】
図１に示すように、ＲＦＩＤ管理システム１は、複数のＲＦＩＤ用アンテナ装置６と、各ＲＦＩＤ用アンテナ装置６を介して管理物品３に貼付されているＲＦＩＤタグ４、５を読み取るリーダライタ１０と、管理物品３の情報を管理している管理装置１２とを備えている。
【００１７】
ＲＦＩＤ用アンテナ装置６は本体部６ａを有し、この本体部６ａを棚状にして管理物品３を載置できるようにし、例えば、薬剤保管庫２の内部に複数段配設されている。これにより、この本体部６ａの上面に管理物品３が載置される。
【００１８】
ＲＦＩＤ用アンテナ装置６は、本体部６ａの内部の上面側にアンテナ７と、本体部６ａの内部の下面側に金属製の遮蔽板８とを備えている。このように構成することにより、ＲＦＩＤ用アンテナ装置６を上下に複数設置しても、遮蔽板８により、磁束１００が下側の棚に漏れるのを抑えている。このアンテナ７の詳細な構成については後述する。
【００１９】
本体部６ａは、例えば、樹脂製のプラスチックを用いることができる。各アンテナ７の給電部１５それぞれに同軸ケーブル９ａ、９ｂを介してリーダライタ１０が接続されている。
【００２０】
リーダライタ１０は、各ＲＦＩＤ用アンテナ装置６それぞれと同軸ケーブル９ａ、９ｂを介して接続され、アンテナ７により棚ごとに管理物品３に貼付されているＲＦＩＤタグ４またはＲＦＩＤタグ５を読み取る。
【００２１】
また、管理装置１２は、病院内のネットワーク１１を介してリーダライタ１０に接続され、薬剤保管庫２から出し入れされる薬剤などの管理物品３の情報を管理している。
【００２２】
このように構成された薬剤保管庫２では、例えば、本体部６ａに設置された重量センサ（図示せず）などと連動して薬剤使用量の計測を行い、薬剤の使用量が管理される。
【００２３】
次に、薬剤である管理物品３の薬剤保管庫２における保管形態について説明する。
【００２４】
薬剤は、薬剤瓶、薬剤袋または薬剤箱などの様々な形態により保管される。このため、各種の保管形態に合わせて、それぞれ貼付しやすいＲＦＩＤタグ４、５が用いられる。
【００２５】
例えば、薬剤袋または薬剤箱では、図２（ａ）に示すように、ダイポール型アンテナ部４ａで構成されるＲＦＩＤタグ４が貼付されている。また、薬剤瓶の底は丸くて、小さいため、図２（ｂ）に示すように、ループ型アンテナ部５ａで構成されるＲＦＩＤタグ５が貼付されている。
【００２６】
ＲＦＩＤタグ４は、ダイポール型アンテナ部４ａとタグ回路部４ｂとを備えている。また、同様に、ＲＦＩＤタグ５は、ループ型アンテナ部５ａとタグ回路部５ｂとを備えている。
【００２７】
リーダライタ１０は、本体部６ａの棚の上面に載置された管理物品３のＲＦＩＤタグ４、５をアンテナ７を介して読み取る。ループ型アンテナ部５ａで構成されるＲＦＩＤタグ５を読み取るには、磁束１００を発生しやすいループ型アンテナが適する。一方、ダイポール型アンテナ部４ａで構成されるＲＦＩＤタグ４は、電界を発生しやすいダイポール型アンテナが適する。ここでは、アンテナ７としてループ型アンテナを用いている。
【００２８】
しかしながら、１波長以上のループ型アンテナで磁束１００を強くするのは困難であった。すなわち、１波長以上のループ型アンテナでは、ループ状の磁界位相分布がλ／２ごとに位相が反転するために磁束１００を強くするのが難しかった。特に、ＵＨＦ帯（例えば、９５０ＭＨｚ）では波長が短いため１波長以上のループ型アンテナでは位相が打ち消されるため、磁束１００はさらに弱いものであった。このため、離れた位置での磁束１００も弱く、電界もほとんど発生しないため、ＲＦＩＤタグ４に対して十分な電界を与えることができず、ＲＦＩＤタグ４のタグ情報を読み取ることができなかった。
【００２９】
このような理由から、従来のＲＦＩＤ管理システムでは、薬剤保管庫２に保管される管理物品３の保管形態に適したＲＦＩＤタグ４またはＲＦＩＤタグ５の使用に合わせて、ＲＦＩＤ用アンテナ装置６の交換を行うようにしていた。これにより、管理するときの作業効率が低下するといった問題があった。
【００３０】
そこで、図３に示すように、本実施の形態のＲＦＩＤ用アンテナ装置６では、アンテナ７の基板１３の上面にループ状に形成されている配線パターン７ａと電気的に直列接続した位相調整部１４を設け、この位相調整部１４により、アンテナ７の位相成分を調整する構造とした。
【００３１】
すなわち、ＲＦＩＤ用アンテナ装置６は、本体部６ａの上面側に樹脂製の基板１３を設け、この基板１３のパターン面にある給電部１５の第１の接続端子１５ａと第２の接続端子１５ｂを配線パターン７ａで接続すると共に配線パターン７ａがループ状に形成されたアンテナ７を設けている。そして、本体部６ａの内部の下面側に金属の遮蔽板８とを備えている。
【００３２】
配線パターン７ａは、位相調整部１４と電気的に直列接続され、この位相調整部１４は、λ／２以下の電気長を有するコイルで構成されている。この位相調整部１４の電気長により、アンテナ７の配線パターン７ａに重畳される電波の電界成分の位相を調整する。基板１３は、ＦＲ４、ビスマレイミド・トリアジン、テフロン（登録商標）などの樹脂を用いることができる。
【００３３】
このような構成により、ＲＦＩＤ用アンテナ装置６では位相調整部１４によりアンテナ７の電気長が調整され、給電部１５から供給される逆位相の電波の重なりを調整（位相調整）して磁界成分が打ち消し合うのを抑え、これにより磁束１００を強くすることができる。この結果、離れた位置でも磁束１００を強めることができ、この磁束１００により電界を発生させてダイポール型アンテナを有するＲＦＩＤタグ４も読み取ることができる。
【００３４】
従って、薬剤保管庫２に保管される管理物品３の保管形態によって、ループ型アンテナを有するＲＦＩＤタグ５とダイポール型アンテナを有するＲＦＩＤタグ４の両方を管理する場合であっても、ＲＦＩＤ用アンテナ装置６の交換が不要になり、これにより管理の作業効率を向上させることができる。
【００３５】
次に、図４（ａ）および図４（ｂ）に示すように、位相調整部１４は基板１３の上面の配線パターン１４ａと下面の配線パターン１４ｃとがスルーホール１４ｂを介して接続され、螺旋状に形成されている。これにより、アンテナ７の電気長を調整して電界成分の位相を合わせることができる。
【００３６】
次に、図１および図５を参照しながら、ＲＦＩＤ管理システム１の動作について説明する。
【００３７】
図５に示すように、ＲＦＩＤ管理システム１では、リーダライタ１０により、同軸ケーブル９ａ、９ｂで接続されている各ＲＦＩＤ用アンテナ装置６を介して、管理物品３に貼付されているＲＦＩＤタグ４またはＲＦＩＤタグ５を読み取る。
【００３８】
リーダライタ１０は、ＲＦＩＤタグ４、５のタグ情報（ＩＤ情報）を読み取ると、病院内のネットワーク１１を介して接続されている管理装置１２に送信する。これにより、管理装置１２は、薬剤保管庫２から出し入れされる管理物品３の情報を管理することができる。
【００３９】
例えば、病院内で医師や看護婦が薬剤を使用したい場合は、その医師や看護婦が勤務している室内のパーソナルコンピュータから管理装置１２を介して、予め設定されている申請様式に基づいて、使用薬剤名、使用量、使用時間などの情報を薬剤管理責任者宛てに申請書を送信する。薬剤管理責任者は、受け取った申請書を認証し、申請者である医師や看護婦に管理装置１２を介して許可を与える。このようにして、管理装置１２には、薬剤の使用に係る情報の履歴が保存される。
【００４０】
医師や看護婦は、許可された内容に従い、薬剤保管庫２から薬剤を取り出して使用することができる。管理装置１２から許可が与えられると薬剤保管庫２の扉（図示せず）が開錠される。
【００４１】
リーダライタ１０は、薬剤保管庫２の扉が開錠されると、信号処理部２２、ＲＦフロントエンド部２３、パワーアンプ２４、サーキュレータ２５、切り替え部２６、ＲＦＩＤ用アンテナ装置６を介して、ＲＦＩＤタグ４またはＲＦＩＤタグ５を読み取る。
【００４２】
リーダライタ１０は、切り替え部２６により、薬剤保管庫２に装着されている２つの棚であるＲＦＩＤ用アンテナ装置６それぞれを適宜切り替え、棚の上に載置さている薬剤（管理物品３）に貼付されているＲＦＩＤタグ４またはＲＦＩＤタグ５に向けて質問信号を送信する。なお、ＲＦＩＤ用アンテナ装置６は２つに限定されない。
【００４３】
リーダライタ１０が「識別番号を返答せよ」という質問信号を送信すると、ＲＦＩＤタグ４、５は「識別番号」を応答信号として返信する。例えば、ＲＦＩＤタグ４、５は、５桁のコードで、識別情報、薬剤の種類を記述した識別番号を返す。例えば、ＲＦＩＤタグ４、５は識別情報（例えば、２進表記で１１）、胃腸薬（例えば、２進表記で１００）などを含む識別番号を２進表記「１１  １００」で返信する。
【００４４】
リーダライタ１０は、信号処理部２２、ＲＦフロントエンド部２３、サーキュレータ２５、切り替え部２６、ＲＦＩＤ用アンテナ装置６を介して、ＲＦＩＤタグ４のＩＤ情報４ｃまたはＲＦＩＤタグ５のＩＤ情報５ｃの応答信号を受信し、復調してタグ情報を取得する。そして、無線制御部２１は、この取得したタグ情報（ＩＤ情報４ｃまたはＩＤ情報５ｃ）をネットワーク１１を介して管理装置１２に送信する。なお、同時に、薬剤保管庫２では、棚（本体部６ａ）に設置された重量センサ（図示せず）などと連動して薬剤使用量の計測を行い、薬剤の使用量を送信する。
【００４５】
このようにして、医師や看護婦が薬剤保管庫２から取り出して使用する薬剤を管理することができる。なお、使用後は、再び、薬剤保管庫２の扉はロックされる。
【００４６】
以上のように本実施の形態のＲＦＩＤ用アンテナ装置６によれば、アンテナ７の基板１３の上面にループ状に形成されている配線パターン７ａに電気的に直列接続した位相調整部１４を設け、この位相調整部１４により、アンテナ７の位相成分を調整するように構造にしたので、位相調整部１４によりループ状に形成されているアンテナ７の電気長を調整し、給電部１５に給電される電波が重なって打ち消し合うのを抑え、これにより磁束１００を強くすることができる。この結果、離れた位置でも磁束１００を強めることができ、この磁束１００により電界を発生させてダイポール型アンテナ部４ａを有するＲＦＩＤタグ４も読み取ることができる。これにより、ループ型アンテナ部５ａを有するＲＦＩＤタグ５とダイポール型アンテナ部４ａを有するＲＦＩＤタグ４の両方を読み取る場合であっても、ＲＦＩＤ用アンテナ装置６の交換が不要になり、これにより作業効率を向上させることができる。
【００４７】
また、本発明のＲＦＩＤ管理システム１は、ＲＦＩＤ用アンテナ装置６と、ＲＦＩＤ用アンテナ装置６の本体部６ａに載置される管理物品３に貼付されているＲＦＩＤタグ４、５のタグ情報をＲＦＩＤ用アンテナ装置６を介して読み取るリーダライタ１０と、リーダライタ１０と接続されると共にＲＦＩＤタグ４、５のタグ情報に基づいて管理物品３を管理する管理装置１２とを備えているので、位相調整部１４によりアンテナ７の電気長を調整し、給電部１５に給電された電波が重なって打ち消し合うのを抑え、これにより磁束１００を強くすることができる。この結果、離れた位置でも磁束１００を強めることができ、この磁束１００により電界を発生させてダイポール型アンテナを有するＲＦＩＤタグ４も読み取ることができる。これにより、ループ型アンテナ部５ａを有するＲＦＩＤタグ５とダイポール型アンテナ部４ａを有するＲＦＩＤタグ４の両方を読み取ることができ、薬剤保管庫２に保管される管理物品３の保管形態に適するように、ＲＦＩＤタグ４とＲＦＩＤタグ５の両方を管理物品３に貼付して管理する場合であっても、ＲＦＩＤ用アンテナ装置６の交換が不要になり、これにより管理する作業効率を向上させることができる。
【００４８】
なお、図６に示すように、位相調整部１４（図４）を位相調整部１６のように構成するようにしてもよい。ここで、図６は本発明の実施の形態における位相調整部１６の正面図である。
【００４９】
すなわち、位相調整部１６は、メアンダ状に形成された配線パターン１６ａにより構成されている。配線パターン１６ａは、λ／２長以下の電気長を有する。これによっても、給電部１５に給電される電波が重なって打ち消し合うのを抑え、アンテナの損失を少なくすることができる。
【００５０】
また、図７に示すように、ＲＦＩＤ用アンテナ装置６（図３）をＲＦＩＤ用アンテナ装置１７のように構成してもよい。ここで、図７は、本発明の実施の形態におけるＲＦＩＤ用アンテナ装置１７の斜視図である。
【００５１】
すなわち、ＲＦＩＤ用アンテナ装置１７は、位相調整部１４を複数設け、これらの位相調整部１４のいずれか１つを含むようにアンテナ７の配線パターン７ａを断続する複数のスイッチ１８を備えている。これらのスイッチ１８をオンまたはオフさせることにより、互いに方向が異なる複数の配線パターン７ａの接続により、アンテナ７の指向方向を変えることができる。
【００５２】
また、図８に示すように、ＲＦＩＤ用アンテナ装置６（図３）は、ＲＦＩＤ用アンテナ装置１９のように構成してもよい。ここで、図８は、本発明の実施の形態におけるＲＦＩＤ用アンテナ装置１９の正面図である。
【００５３】
すなわち、ＲＦＩＤ用アンテナ装置１９は、位相調整部１４の近傍に対向して配置された無給電素子１９ａ、１９ｂを備えている。無給電素子１９ａ、１９ｂは、アンテナ７のループ状に形成された配線パターン７ａの内周側または外周側に設けられ、λ／４長以下の電気長を有する。これにより、共振周波数をずらすことができるので、アンテナ特性を広帯域化することができる。
【００５４】
なお、本実施の形態では、ＲＦＩＤ用アンテナ装置６を薬剤保管庫２に応用する例について説明したが、食品売り場などのレジの横に配置した棚型アンテナとしても応用することができる。これにより、瓶詰めの食品や、箱詰めの食品など、食品の梱包形態に適するように、ＲＦＩＤタグ４とＲＦＩＤタグ５の両方を管理する場合であっても、ＲＦＩＤ用アンテナ装置６の交換を不要にし、これにより管理する作業効率を向上させることができる。
【産業上の利用可能性】
【００５５】
以上のように本発明は、アンテナのループ状に形成された配線パターンにアンテナの位相成分を調整する位相調整部を電気的に直列に接続する構造にしたので、位相調整部によりアンテナの電気長を調整し、給電される電波が重なり合って打ち消し合うのを抑え、磁束を強くすることができる。
【００５６】
従って、離れた位置でも磁束を強め、この磁束により電界を発生させてダイポール型アンテナを有するＲＦＩＤタグも読み取ることができる。
【００５７】
これにより、ループ型アンテナを有するＲＦＩＤタグとダイポール型アンテナを有するＲＦＩＤタグの両方を管理する場合であっても、ＲＦＩＤ用アンテナ装置の交換が不要になり、これにより管理の作業効率を向上させることを可能とするＲＦＩＤ用アンテナ装置、ＲＦＩＤ管理システムに有用である。
【図面の簡単な説明】
【００５８】
【図１】本発明の実施の形態におけるＲＦＩＤ管理システムの概要図
【図２】（ａ）は本発明の実施の形態におけるダイポール型アンテナ部で構成されるＲＦＩＤタグの正面図、（ｂ）は本発明の実施の形態におけるループ型アンテナ部で構成されるＲＦＩＤタグの正面図
【図３】本発明の実施の形態におけるＲＦＩＤ用アンテナ装置の斜視図
【図４】（ａ）は同ＲＦＩＤアンテナ装置の位相調整部の正面図、（ｂ）は同ＲＦＩＤアンテナ装置の位相調整部の断面図
【図５】本発明の実施の形態におけるＲＦＩＤ管理システムのブロック図
【図６】本発明の実施の形態における位相調整部の正面図
【図７】本発明の実施の形態におけるＲＦＩＤ用アンテナ装置の斜視図
【図８】本発明の実施の形態におけるＲＦＩＤ用アンテナ装置の正面図
【符号の説明】
【００５９】
１    ＲＦＩＤ管理システム
２    薬剤保管庫
３    管理物品
４，５    ＲＦＩＤタグ
４ａ    ダイポール型アンテナ部
４ｂ，５ｂ    タグ回路部
４ｃ，５ｃ    ＩＤ情報
５ａ    ループ型アンテナ部
６，１７，１９    ＲＦＩＤ用アンテナ装置
６ａ    本体部
７    アンテナ
７ａ，１４ａ，１４ｃ，１６ａ    配線パターン
８    遮蔽板
９ａ，９ｂ    同軸ケーブル
１０    リーダライタ
１１    ネットワーク
１２    管理装置
１３    基板
１４，１６    位相調整部
１４ｂ    スルーホール
１５    給電部
１５ａ    第１の接続端子
１５ｂ    第２の接続端子
１８    スイッチ
１９ａ，１９ｂ    無給電素子
２１    無線制御部
２２    信号処理部
２３    ＲＦフロントエンド部
２４    パワーアンプ
２５    サーキュレータ
２６    切り替え部
１００    磁束
【図１】
2010093692.tif 000003
【図２】
2010093692.tif 000004
【図３】
2010093692.tif 000005
【図４】
2010093692.tif 000006
【図５】
2010093692.tif 000007
【図６】
2010093692.tif 000008
【図７】
2010093692.tif 000009
【図８】
2010093692.tif 000010